(57)【要約】【課題】ドラム演奏時における残響音を調整する。【解決手段】吸音性を有する部材からなる吸音部１１０と、吸音部１１０をその一端側で支持する支持部１２０と、からなり、吸音部１１０が、ドラムの打面の反対側の面に対向して配置される残響音調整具１００である。【選択図】図２
2019023698.tif 000002
【特許請求の範囲】
【請求項１】
吸音性を有する部材からなる吸音部と、
前記吸音部をその一端側で支持する支持部と、からなり、
前記吸音部が、ドラムの打面の反対側の面に対向して配置されることを特徴とするドラム用残響音調整具。
【請求項２】
前記支持部の他端側は、ドラムセットの所定位置に取り付け可能、または、床面に設置可能であることを特徴とする請求項１に記載のドラム用残響音調整具。
【請求項３】
前記吸音部は、前記ドラムの前記反対側の面に対して、所定の間隔を有するように配置される所定の厚みを有した円盤状の部材であることを特徴とする請求項１または２に記載のドラム用残響音調整具。
【請求項４】
前記支持部は、
前記支持部の長さ、
前記支持部の一端側での前記吸音部に対する角度、
および、前記支持部の他端側での前記ドラムセットの所定位置または前記床面に対する角度、
の少なくとも１つが調整可能であることを特徴とする請求項２に記載のドラム用残響音調整具。
【請求項５】
前記支持部と前記吸音部は取り外し可能であり、１の前記支持部に対し、形状、大きさ、および厚みの少なくとも１つが異なる２以上の前記吸音部が取り付け可能であることを特徴とする請求項１から４までのいずれかに記載のドラム用残響音調整具。
【請求項６】
請求項１から５までのいずれかに記載のドラム用残響音調整具を備えることを特徴とするドラムセット。
【発明の詳細な説明】
【技術分野】
【０００１】
本発明は、ドラム用残響音調整具およびドラムセットに関する。
【背景技術】
【０００２】
ドラムセットを用いた演奏時に大音量での演奏を回避する場合など、演奏時の音量を低減させる必要がある環境下において、ドラムの打撃音（打音）を低減させるためにドラム用消音具を用いることが知られている。
【０００３】
例えば、特許文献１には、アコースティックドラムに取り付けられ、アコースティックドラムのドラムヘッドの代わりに打撃されることによって演奏時に発生する音を低減させるドラム用消音具において、演奏者に打撃されると共に所定の弾性を有する打面部、及び、その打面部の周縁部分を支持すると共に打面部よりも剛性が高く設定された環状の枠部を有する被打撃体と、その被打撃体の枠部に取着されると共に被打撃体をドラムヘッドに吸着させる吸盤部材とを備えたドラム用消音具が開示されている。
【０００４】
また、特許文献２には、スネアドラム等の打面に載置して用いられ、演奏時の打音を調整するための打音調整シートであって、打面に対する位置決めを行う位置決め部を有し、かつ、打点の目安となる領域を示す打点マークを記した打音調整シートが開示されている。
【先行技術文献】
【特許文献】
【０００５】
【特許文献１】特開２０１５−  ６８８５１号公報
【特許文献２】特開２０１７−１０２２３５号公報
【発明の概要】
【発明が解決しようとする課題】
【０００６】
ドラムセットを用いた演奏では、タムタム、スネアドラム、バスドラム、フロアタム等の打撃時に生じる打撃音とともに、打撃後に残響音（リバーブ）が生じるが、この残響音について、音量や残響時間を低減したり、演奏者や聴衆者の所望の音量や残響時間に調整したいという要求がある。
【０００７】
しかしながら、これまで特許文献１，２のように、打撃音を低減、調整するための器具は知られているものの、残響音を低減、調整するための器具はなく、演奏者独自の方法、例えば、ドラムの下部に毛布などを敷いて残響音を調整する等の対応がなされていた。
【０００８】
そこで本発明は、ドラム演奏時における残響音を調整することができるドラム用残響音調整具を提供することを目的とする。
【課題を解決するための手段】
【０００９】
かかる目的を達成するため、本発明に係るドラム用残響音調整具は、吸音性を有する部材からなる吸音部と、前記吸音部をその一端側で支持する支持部と、からなり、前記吸音部が、ドラムの打面の反対側の面に対向して配置されるものである。
【発明の効果】
【００１０】
本発明によれば、ドラム演奏時における残響音を調整することができる。
【図面の簡単な説明】
【００１１】
【図１】ドラムセットの一例を示す概略構成図である。
【図２】残響音調整具の一例を示す斜視説明図である。
【図３】吸音部の一例を示す斜視説明図である。
【図４】支持部の一例を示す説明図である。
【図５】残響音調整具の他の例を示す斜視説明図である。
【図６】残響音調整具を備えるドラムセットの一例を示す説明図である。
【図７】残響音調整具を備えるドラムセットの他の例を示す説明図である。
【発明を実施するための形態】
【００１２】
以下、本発明に係る構成を図１から図７に示す実施の形態に基づいて詳細に説明する。
【００１３】
（ドラムセット）
図１は、ドラムセット１の一例を示す概略構成図である。ドラムセット１は、バスドラム１０、フロアタム２０、スネアドラム３０、タムタム４０、ハイハットシンバル５０、クラッシュシンバル６０、ライドシンバル７０、等を備えている。なお、図１に示すドラムセット１の配置例は、右利きの演奏者の一般的な配置例を示すものであって、ドラムセット１の配置例はこれに限られるものでないのは勿論である。また、ドラムセット１を構成するドラムやシンバルの種類や、その数も一例であって、これに限られるものでないのは勿論である。
【００１４】
バスドラム１０は、演奏者の前面に配置され、図示しないドラムペダルを踏むことによって打つドラムである。ドラムセット１において最も口径が大きく、最も低音を出すドラムである。
【００１５】
フロアタム２０は、演奏者から見て右側に設置される。バスドラム１０の次に低音を出すドラムであって、主にフレーズ（フィルイン）に使われるドラムである。
【００１６】
スネアドラム３０は、演奏者の目前の膝の高さ付近に設置される。主にリズムのアクセントを付けるために利用するドラムであって、ドラムセット１において、最も使用頻度が高いドラムである。
【００１７】
タムタム４０は、バスドラム１０の上にホルダー４１を用いて取り付けられる。演奏者から見て左側に音程の高いハイタム、右側に音程の低いロータムが配置される。フロアタム２０と同様に、主に、フレーズ（フィルイン）に使われるドラムである。
【００１８】
ハイハットシンバル５０は、演奏者の左足側のスネアドラム３０の近くにスタンド５１を用いて設置し、下部のペダルを踏むことで２枚のシンバルのオープンとクローズを切り替えるものである。
【００１９】
クラッシュシンバル６０は、演奏者の左足側のスネアドラム３０の近くにスタンド６１を用いて設置される。主にアクセントを付けるために使われる。
【００２０】
ライドシンバル７０は、フロアタム２０の上付近にスタンド７１を用いて設置される。ハイハットシンバル５０とともに主にリズムを刻む際に使われる。ドラムセット１の中で最も大きなシンバルである。
【００２１】
（ドラム用残響音調整具）
図２は、本発明に係るドラム用残響音調整具の一実施形態である残響音調整具１００を示す斜視説明図である。本実施形態に係る残響音調整具１００は、吸音性を有する部材からなる吸音部１１０と、吸音部１１０をその一端側で支持する支持部１２０と、からなり、吸音部１１０が、ドラムの打面の反対側の面（以下、裏面ともいう）に対向して配置されるものである。
【００２２】
残響音調整具１００は、図２に示すように、所定の厚みを有した円盤状の吸音部１１０と、一端側に吸音部１１０が取り付けられ、吸音部１１０を支持する支持部１２０と、で構成される。
【００２３】
図３は吸音部１１０の一例を示す斜視説明図であって、図３（Ａ）は吸音部１１０の表面の斜視図、（Ｂ）は吸音部１１０の裏面の斜視図を示している。なお、残響音調整具１００の使用時において、ドラムの裏面に対向して配置される面を吸音部１１０の表面と呼ぶ。
【００２４】
吸音部１１０は、吸音性を有する吸音部材１１１をシート部材１１２で被覆してなる。吸音部材１１１としては、吸音効果を有する材料、材質（吸音材）を広く用いることができる。例えば、バージンウールと医療用ポリエステルを原料とした羊毛断熱材サーモウール（株式会社コスモプロジェクト製）等を用いることが好適である。
【００２５】
シート部材１１２は、吸音部材１１１の全体を被覆するシート状の部材であって、不織布、織布など広く用いることが可能である。例えば、フェルトを用いることが好適である。
【００２６】
また、図３（Ｂ）に示すように、吸音部１１０の裏面の中央部には、支持部１２０の端部の部材が嵌合する凹部１１３が設けられている。凹部１１３は、例えば、吸音部材１１１の中央部に埋め込まれたナット部材で構成される。本実施形態では、ナット部材からなる凹部１１３に支持部１２０のねじ形状の凸部１２２（図４）を締結可能とすることで吸音部１１０と支持部１２０を着脱可能としている。なお、着脱可能であれば、凹部１１３や凸部１２２の構成は特に限られるものではない。また、吸音部１１０は支持部１２０に対し着脱可能とすることが好ましいが、これに限られず、固着したものとしてもよい。
【００２７】
吸音部１１０の形状は、ドラムの打面および裏面と同様に円形状を有することが好ましが、これに限られるものではなく、様々な形状とすることができる。また、複数の大きさの異なる吸音部１１０を用意しておき、使用するドラムや所望の吸音効果に応じて適宜選択して使用することが好ましい。このとき、１の支持部１２０に対して、複数の吸音部１１０を着脱可能であることが好ましい。
【００２８】
また、吸音部材１１１の厚みは、例えば、１ｃｍ程度とすることができる。吸音部材１１１の厚みに比例して吸音効果は大きくなるため、使用するドラムや所望の吸音効果に応じて、厚みを選択すればよい。また、残響音調整具１００の使用時においては、吸音部１１０とドラムの裏面との間の間隔により吸音効果は変化するため、ドラムの裏面との間隔は、使用するドラムや所望の吸音効果に応じて適宜設定するものとすればよい。また、ドラムの裏面に対して残響音調整具１００の表面を接触させて使用するものであってもよい。
【００２９】
図４は支持部１２０の一例を示す説明図である。支持部１２０は、吸音部１１０を取り付ける取付部１２１と、取付部１２１を変位させる第１角度調整部１２３と、長さ調整可能なアーム部１２５と、挟持部１２８を変位させる第２角度調整部１２６と、ドラムセット１の所定位置（例えば、各シンバル５０，６０，７０のスタンド５１，６１，７１）を挟持する挟持部１２８と、を有している。
【００３０】
取付部１２１には、吸音部１１０の凹部１１３に嵌合する凸部１２２が設けられている。本実施形態では、凸部１２２はねじ形状を有しているが、これに限られるものではない。
【００３１】
第１角度調整部１２３には、調整具１２４が設けられており、調整具１２４を締めた状態では、取付部１２１は第１角度調整部１２３に対して固定され、調整具１２４を緩めた状態では、第１角度調整部１２３に対して変位可能としている。角度調整時に調整具１２４を緩めて取付部１２１の第１角度調整部１２３に対する角度を所望の角度として、調整具１２４を締めることで、取付部１２１の第１角度調整部１２３に対する角度を所望の角度に調整可能となっている。
【００３２】
アーム部１２５は、図４に示したような一段のアームの状態と、図２に示したような複数段のアームの状態との間で長さを調整可能としている。本実施形態では、第１角度調整部１２３をアーム部１２５に対して回動させることでロックの解除が解除が可能となっており、ロックを解除した状態でアーム部１２５の長さの調整が可能となっている。アーム部１２５を所望の長さとした後、第１角度調整部１２３をアーム部１２５に対して回動させて再びロックをすることで、アーム部１２５（すなわち、支持部１２０）の長さ調整が可能となっている。
【００３３】
第２角度調整部１２６には、調整具１２７が設けられており、調整具１２７を締めた状態では、第２角度調整部１２６および挟持部１２８はアーム部１２５に対して固定され、調整具１２７を緩めた状態では、第２角度調整部１２６および挟持部１２８は、アーム部１２５に対して変位可能としている。角度調整時に調整具１２７を緩めて挟持部１２８のアーム部１２５に対する角度を所望の角度として、調整具１２７を締めることで、挟持部１２８のアーム部１２５に対する角度を所望の角度に調整可能となっている。
【００３４】
挟持部１２８には、調整具１２９が設けられており、挟持部１２８で対象物（例えば、スタンド７１）を挟んだ状態で、調整具１２９を締めることで、挟持部１２８（すなわち、支持部１２０）は対象物に対して固定される。
【００３５】
図５は、残響音調整具１００の他の例を示す斜視説明図である。図５に示す残響音調整具１００の支持部１２０は、吸音部１１０を支持しない他端側が、床面に設置可能な床面設置部１３０となっている。
【００３６】
この残響音調整具１００は、床面設置部１３０を床面に設置し、吸音部１１０をドラムの裏面側に配置して使用される。例えば、フロアタム２０の下部の床面に設置して使用される。
【００３７】
なお、残響音調整具１００の支持部１２０も、図４に示した残響音調整具１００の支持部１２０と同様に、支持部１２０の吸音部１１０に対する角度が調整可能となっており、吸音部１１０のドラムの裏面に対する設置角度を調整可能となっている。また、支持部１２０の長さや、支持部１２０の床面設置部１３０に対する角度等の調整も可能であることが好ましい。
【００３８】
（ドラム用残響音調整具を用いたドラムセット）
図６および図７は、本実施形態に係る残響音調整具１００をドラムセット１に取り付けた例を示す説明図である。
【００３９】
図６に示すドラムセット１は、タムタム４０に対して残響音調整具１００（図２）を設けた例を示している。このドラムセット１においては、支持部１２０の挟持部１２８でライドシンバル７０のスタンド７１を挟んで固定するとともに、吸音部１１０がタムタム４０の裏面に対して所望の位置および間隔等となるように、支持部１２０の長さや、タムタム４０の裏面に対する角度、スタンド７１に対する角度等を調整して設置したものである。
【００４０】
これにより、タムタム４０の打撃時に生じる残響音を低減することが可能となる。また、吸音部１１０の大きさや厚み、タムタム４０の裏面との間隔や設置角度等を適宜調整して、演奏者や聴衆者等の所望の残響音に調整することが可能となる。
【００４１】
図７に示すドラムセット１は、フロアタム２０に対して残響音調整具１００（図５）を設けた例を示している。このドラムセット１においては、床面設置部１３０をフロアタム２０の下部の床面に設置して、吸音部１１０がフロアタム２０の裏面に対して所望の位置および間隔等となるように、支持部１２０の長さ等を調整して設置したものである。
【００４２】
これにより、フロアタム２０の打撃時に生じる残響音を低減することが可能となる。また、吸音部１１０の大きさや、フロアタム２０の裏面との間隔を調整することで、演奏者や聴衆者等の所望の残響音に調整することが可能となる。
【００４３】
なお、図６および図７の例では、ドラムセット１のタムタム４０、フロアタム２０に響音調整具１００を適用する例を説明したが、他のドラムに残響音調整具１００を適用してもよいのは勿論である。例えば、バスドラム１０に対して、残響音調整具１００を設置することも可能である。この場合、吸音部１１０をバスドラム１０の裏面に対向させて設置するものであればよい。また、ドラムセット１において残響音調整具１００を適用するドラムは１つのドラムに限られず、複数のドラムに複数の残響音調整具１００を用いてもよいのは勿論である。
【００４４】
また、本実施形態では、複数のドラムを有するドラムセット１に残響音調整具１００を適用する例を説明したが、１つのドラムを単独で使用する場合に用いてもよいのは勿論である。また、残響音調整具１００は、ドラムセット１に限らず、和太鼓などの他の打楽器にも適用可能である。
【００４５】
なお、室内であるか屋外であるか、室内の場合の壁との距離、等のドラムセット１の設置環境に応じて残響音は変化するため、設置環境に応じて、所望の残響音を得られるように残響音調整具１００の設置状態を適宜調整するものであればよい。
【００４６】
また、ドラムセット１を用いた演奏者による演奏は、聴衆者に対してなされることが多いものであり、残響音調整具１００も聴衆者の目に触れるものであるため、ドラムセット１の外観（見た目）も重要である。このため、残響音調整具１００は、例えば、ドラムセット１のデザイン、色合いに合わせて目立たないような色とすることが好ましい。例えば、シート部材１１２の色をドラムセット１のデザイン、色合いに合わせて目立たない色を選択することができる。また、反対に、残響音調整具１００にデザイン性を持たせ目立たせるようにしてもよく、例えば、ドラムセット１のデザイン、色合いに応じた模様やロゴなどを付したものであってもよい。
【００４７】
以上説明した残響音調整具１００により、ドラム演奏時における残響音を調整することができる。
【００４８】
尚、上述の実施形態は本発明の好適な実施の例ではあるがこれに限定されるものではなく、本発明の要旨を逸脱しない範囲において種々変形実施可能である。
【符号の説明】
【００４９】
１  ドラムセット
１０  バスドラム
２０  フロアタム
３０  スネアドラム
４０  タムタム
４１  ホルダー
５０  ハイハットシンバル
５１  スタンド
６０  クラッシュシンバル
６１  スタンド
７０  ライドシンバル
７１  スタンド
１００  残響音調整具
１１０  吸音部
１１１  吸音部材
１１２  シート部材
１１３  凹部
１２０  支持部
１２１  取付部
１２２  凸部
１２３  第１角度調整部
１２４  調整具
１２５  アーム部
１２６  第２角度調整部
１２７  調整具
１２８  挟持部
１２９  調整具
１３０  床面設置部
【図１】
2019023698.tif 000003
【図２】
2019023698.tif 000004
【図３】
2019023698.tif 000005
【図４】
2019023698.tif 000006
【図５】
2019023698.tif 000007
【図６】
2019023698.tif 000008
【図７】
2019023698.tif 000009